(57)【要約】【課題】本発明は、テーブル状単位部材を用いた雨水等の貯留浸透施設に関わる補強方法の提案である。【解決手段】平板と平板に開口する筒状部からなるテーブル状部材を地下に配設し、雨水の貯留空間を形成し、その周囲をシートで覆った雨水等の貯留浸透施設において、前記貯留空間内で前記テーブル状部材により占拠されていない空間に水平方向および垂直方向の補強材を配設し、あるいは筒状部内に垂直方向の補強材を配設した雨水等の貯留浸透施設である。【選択図】図１
2008255767.tif 000002
【特許請求の範囲】
【請求項１】
平板と平板に開口する筒状部からなるテーブル状部材を地下に配設し、雨水の貯留空間を形成し、その周囲をシートで覆った雨水等の貯留浸透施設において、前記貯留空間内で前記テーブル状部材により占拠されていない空間に水平方向の補強材を配設したことを特徴とする雨水等の貯留浸透施設。
【請求項２】
平板と平板に開口する筒状部からなるテーブル状部材を地下に配設し、雨水の貯留空間を形成しその周囲をシートで覆った雨水等の貯留浸透施設において、テーブル状部材の互いに接する平板間に水平方向の補強材を配設したことを特徴とする雨水等の貯留浸透施設。
【請求項３】
請求項1又は２記載の雨水等の貯留浸透槽施設においてテーブル状部材の筒状部を貫通するように垂直方向の補強材を施したことを特徴とする雨水等の貯留浸透施設。
【請求項４】
端部が切り欠かれた平板を有するテーブル状部材を用いた請求項1又は２記載の雨水等の貯留浸透施設においいて、テーブル状部材の平板部の切り欠かれた部分に垂直方向の補強材を施したことを特徴とする雨水等の貯留浸透施設。
【発明の詳細な説明】
【技術分野】
【０００１】
本発明は、雨水の貯留浸透施設の技術に属する。
【背景技術】
【０００２】
雨水の流出抑制を目的として、プラスチックなどで製造された単位部材を地下に充填しその周囲を適宜シートで覆った雨水等の貯留浸透施設が普及している。この目的のために各種の形状の部材が例えば特開昭62-101097、特開昭62-126179、特開平9-296486、特開平10-252108、特開平10-115778、特開平11-43971、特開平11-222886などに提案かつ使用されている。いずれの方法も部材を配置しその周囲を透水性もしくは遮水性のシート類で包み、その内部空間に雨水等を貯蔵する貯留浸透施設とするものである。
上記部材のうち特開2005-076291、特開2002-309658に平板に開口する筒状部を設けたテーブル状部材（例えば図１３、図１４に示す。）を使用する雨水等の貯留浸透施設が開示されている。図１３に示すテーブル状部材はその平板部の端部を切り欠いたことでその水平方向の強度などが不足する場合があり、その強度を補強する手段が求められていた。
【０００３】
【特許文献１】特開昭62-101097
【特許文献２】特開昭62-126179
【特許文献３】特開平9-296486
【特許文献４】特開平10-252108
【特許文献５】特開平10-115778
【特許文献６】特開平11-43971
【特許文献７】特開平11-222886
【特許文献８】特開2005-076291
【特許文献９】特開2002-309658
【発明の開示】
【発明が解決しようとする課題】
【０００４】
本発明は、テーブル状単位部材を用いた雨水等の貯留浸透施設に関わる補強方法の提案である。
【課題を解決するための手段】
【０００５】
本第1の発明は、平板と平板に開口する筒状部からなるテーブル状部材を地下に配設し、雨水の貯留空間を形成しその周囲をシートで覆った雨水等の貯留浸透施設において、前記貯留空間内で前記テーブル状部材により占拠されていない空間に水平方向の補強材を配設した雨水等の貯留浸透施設である。
本第２の発明は、平板と平板に開口する筒状部からなるテーブル状単位部材を地下に配設し、雨水の貯留空間を形成しその周囲をシートで覆った雨水等の貯留浸透施設において、テーブル状部材の互いに接する平板間に補強材を横に配設した雨水等の貯留浸透施設である。
本第３の発明は、第１の発明及び第２の発明である雨水等の貯留浸透槽施設においてテーブル状部材の筒状部を貫通するように垂直方向の補強材を施した雨水等の貯留浸透施設である。
本第４の発明は、端部が切り欠かれた平板を有するテーブル状部材を用いた第１の発明及び第２の発明である雨水等の貯留浸透施設においいて、テーブル状部材の平板の切り欠かれた部分に垂直方向の補強材を施した雨水等の貯留浸透施設である。
上記発明に使用する単位部材の強度を補うため貯留空間内に縦横に補強材を配設した。
【発明の効果】
【０００６】
本発明は、地下にテーブル状部材を配列して得られる貯留空間に縦横の水平方向の補強材を挿入、あるいはテーブル状部材を形成する筒状部を貫通するように垂直方向の補強材を挿入、あるいはテーブル状部材の平板間に水平方向の補強材を挿入することで形成される雨水等の貯留浸透施設が補強される。
【発明を実施するための最良の形態】
【０００７】
以下本発明を図により詳細に説明する。
図1、図２は、本第１の発明であるテーブル状部材を配列して得られる貯留空間内でテーブル状部材により占拠されていない空間に水平方向の補強材を配設した雨水等の貯留浸透施設に関わる貯留空間の概念図である。
テーブル状部材は、図13、図14に示すように、平板と平板に開口した1ないし複数の筒状部からなる。平板は矩形であり、より好ましくは正方形で、密着して全体が平板状に並べられる形状であればよい。平板の端部が切り欠かれあるいは透孔を有するものでもよい。筒状部は図では開口部から他端部に向かって狭くなるようにテーパが設けられ、入れ子状に積み重ね可能となっているが円筒状あるいは楕円状、梅鉢状など適宜選択することができる。
本貯留空間は、一般的なテーブル状部材を偶数段に積み重ねて配列する場合、テーブル状部材をその筒状部を突き合わせるように組み合わせたものを積み重ねてある。水平方向には平板部と筒部で囲まれた6角形の空間が形成される。水平方向の補強材は、図では逆さまになったテーブル状部材の平板部の上に配列されている。水平方向の補強材は図では連続した直線状に示されているがテーブル状部材ごとに分割した状態で配列されてもよい。
またテーブル状部材の筒状部を下向きになるように配置した状態で、平板部の下に水平補強材を配列してもなんら差し支えない。テーブル状部材の配列が奇数段であっても同様である。
図では、筒状部を貫通するように垂直方向の補強材が挿入されている。垂直方向の補強材は一本の連続するものであっても、テーブル状部材ごと分割されたものであってもよい。テーブル状部材の筒状部の他端が閉鎖されたものあるいは開放されたものに応じて選択することができる。
【０００８】
図２は、テーブル状部材の平板の端部が切り欠かれたものを使用した例である。
水平方向の補強材は上記発明と同じ位置に配置されている。垂直方向の補強材はテーブル状部材の切り欠かれて形成された、図では正方形の空間に配置されている。
【０００９】
図３ないし図６は、上記貯留空間に水平補強材を平板間に挟んで配置した例である。
図３は、例えば図９ｂに示すテーブル状部材で平板に４個の筒状部を設けたものを使用した例である。テーブル状部材の平板部の中心に十字形の溝を設けて水平方向の補強材を挿入可能としたものである。水平方向の補強材は直線状に一本であっても、テーブル状部材ごとに分割されたものであってもよい。
図４、図５は、テーブル状部材の中心に筒状部を有する場合の例であり、図４では筒状部が一個、図５では５個設けられている。同時に筒状部に垂直方向の補強材を挿入している。垂直方向の補強材は直線状の一本でも、テーブル状部材ごとに分割されたものでもよい。
【００１０】
図６は、テーブル状部材の平板部端部に水平方向の補強材を挿入した例である。
例えば図１０ａ、図１０ｂに示すように、テーブル状部材の平板端部を、段を形成するように切り欠き水平方向の補強材を平板で挟むようにしたものである。水平方向の補強材は一本の直線状の板材であっても、テーブル状部材ごとに分割したものであってもよい。図６は、図１０ａに示すテーブル状部材の中心に筒状部を有する場合の例であり、筒状部に垂直の補強材を挿入している。上記と同様垂直補強材は直線状一本でもテーブル状部材ごとに分割されたものでもよい。
【００１１】
以下水平及び垂直方向の補強材の挿入方法につき説明する。
図１に示す貯留空間の形成方法については、図７ａに示すように、第1番目のテーブル状部材を、平板を下とし、筒状部を上となるように配設する。筒状部に垂直方向の補強材を立てると共に平板の上に水平方向の補強材を格子状に配列する。
図７ｂに示すように、第2段目のテーブル状部材を互いの筒状部を突き合わせるように配列し、さらに第１番目のテーブル状部材と同じ向きに第３段目のテーブル状部材を配列し、水平方向の補強材を格子状に配置する。同様に図６ｃに示すように更にテーブル状部材と水平方向の補強部材を配設する。順じこの作業を繰り返す。
最終段のテーブル状部材の上は、図７ｄに示すように垂直方向の補強材と水平方向の補強材とを最上部で固定する。
水平方向の補強材の配列は上記した方法に限らず要求される強度に応じて補強材の材質、補強部材の挿入場所など適宜変更できる。垂直方向の補強材においても材質、長さ、太さなど適宜変更できる。
図２に示す貯留空間についても上記と同様である。
【００１２】
図４に示す貯留空間の形成方法につき説明する。
図８ａに示すように、１段目のテーブル状部材を水平方向の補強材とともに配列し、垂直方向の補強材を筒状部に挿入し立てる。さらに２段目のテーブル状部材を、筒状部を突き合わせるように配列させ、２段目のテーブル状部材の平板に設けられた溝に水平方向の補強材を嵌めこむ。図８ｂに示すように水平方向の補強材に合わせるようにテーブル状部材を重ねる。順次図８ｃのようにテーブル状部材と水平方向の補強材を重ね、最上段は図８ｄに示すように垂直方向の補強材と水平方向の補強材とを最上部で固定する。
水平方向の補強材、垂直方向の補強材とも一本の直線状に配置しても、テーブル状部材ごとに分割されたものであってもよい。
【００１３】
水平方向の補強材をテーブル状部材の平板上に配列し、垂直方向の補強材を筒状部の中あるいは平板の端部切り欠きにより生じた空間に配置することで、テーブル状部材を用いた図１５に示す従来の貯留空間の内部を見通す特徴を損なわずにすむ。
【００１４】
水平方向の補強材、垂直方向の補強材の材質はステンレススチールなどの金属製あるいはコンクリート製あるいはＦＲＰなどの樹脂と繊維からなるものであってもよい。
水平方向の補強材、垂直方向の補強材の形状もコ状あるいは角柱あるいはＬ型鋼など適宜利用可能であり、これらの接続もボルト・ナットなど既存の技術が適応できる。
【００１５】
上記のように形成された補強された貯留空間を地下に構成し、その周囲をその目的に応じたシート類で覆うことで雨水の流出抑制に使用する浸透槽、貯留槽あるいは浸透・貯留兼用の貯留浸透槽とすることができる。図１１に示すように必要に応じ、泥だめます、オリフィス、越流管その他の付帯設備を設けることは従来どおりである。本発明の各種の補強された貯留空間を適宜組み合わせあるいは単独に用いて貯留空間を形成できる。
地下水面より上に設置し、使用するシートが浸透性のシートならば浸透槽、槽の底部が地下水面より下にくる場合は遮水性のシートで覆い地下水の浸入を防止する貯留槽とすることができる。地下水面以上に設け、遮水シートで覆い、雨水の有効利用を図る貯留槽とすることも同様である。
【００１６】
図１２には河川、湖沼下に設けた例を示している。内部に配設した支持部材および槽の周囲をコンクリート製あるいは鋼製の壁、床、天井材で覆うなどで必要な強度を得る。
【００１７】
上記テーブル状部材の材質は従来と同様、射出成形名可能なポリオレフィン例えばポリプロピレン、ハイインパクトポリスチレンなどであり、必要に応じてステンレススチールなどの金属製であってもよい。
【図面の簡単な説明】
【００１８】
【図１】本発明の補強された貯留空間を示す第１の概念図である。
【図２】本発明の補強された貯留空間を示す第２の概念図である。
【図３】本発明の補強された貯留空間を示す第３の概念図である。
【図４】本発明の補強された貯留空間を示す第４の概念図である。
【図５】本発明の補強された貯留空間を示す第５の概念図である。
【図６】本発明の補強された貯留空間を示す第６の概念図である。
【図７】第１の貯留空間を形成する概念図である。
【図８】第４の貯留空間を形成する概念図である。
【図９】水平方向の補強材を用いるテーブル状部材の例を示す概念図である。
【図１０】水平方向の補強材を用いるテーブル状部材の他の例を示す概念図である。
【図１１】補強されて貯留空間を有する貯留浸透施設の概念図である。
【図１２】補強されて貯留空間を河川下に設けた概念図である。
【図１３】端部が切り欠かれた平板を有するテーブル状部材の概念図である。
【図１４】従来のテーブル状部材の概念図である。
【図１５】従来のテーブル状部材を用いた貯留空間の概念図である。
【符号の説明】
【００１９】
１  テーブル状部材
２  平板
３  筒状部
４  水平方向の補強材
５  垂直方向の補強材
【図１】
2008255767.tif 000003
【図２】
2008255767.tif 000004
【図３】
2008255767.tif 000005
【図４】
2008255767.tif 000006
【図５】
2008255767.tif 000007
【図６】
2008255767.tif 000008
【図７】
2008255767.tif 000009
【図８】
2008255767.tif 000010
【図９】
2008255767.tif 000011
【図１０】
2008255767.tif 000012
【図１１】
2008255767.tif 000013
【図１２】
2008255767.tif 000014
【図１３】
2008255767.tif 000015
【図１４】
2008255767.tif 000016
【図１５】
2008255767.tif 000017